(57)【要約】【課題】印刷される文書の候補が複数種類存在する場合、文書の種類に応じた課金額を設定することが可能な印刷制御システム、印刷制御装置、印刷制御プログラムを提供する。【解決手段】画像読取部が原稿を読み取ってスキャンデータを生成すると、スキャンデータ解析部はスキャンデータを解析する。スキャンデータに応募データが埋め込まれている場合、抽選データ抽出部はスキャンデータから抽選データを抽出し、抽選データ送信部は抽選処理装置に抽選データを送信する。送信した抽選データに対する抽選処理装置からの結果データを結果データ受信部が受信すると、印刷データ生成部は結果データに基づいて印刷データを生成し、課金処理部は結果データに応じた課金処理を実施し、印刷部は印刷データを印刷する。【選択図】図２
2008225999.tif 000002
【特許請求の範囲】
【請求項１】
原稿を読み取って画像データを生成する読取手段と、
前記読取手段で生成した画像データ内に処理の指示を示す指示データが埋め込まれているか否か解析する解析手段と、
前記解析手段が前記指示データが前記画像データ内に埋め込まれていると解析した場合、該指示データに示されている処理を通信手段を介して接続する処理装置に対して依頼する処理依頼手段と、
前記処理依頼手段で依頼した処理の処理結果を前記処理装置から受信する処理結果受信手段と、
前記処理結果受信手段で受信した処理結果に応じた課金処理を行う課金処理手段と、
前記処理結果に応じた印刷データを生成する印刷データ生成手段と、
前記印刷データ生成手段で生成した印刷データを印刷する印刷手段と
を具備する印刷制御装置と、
前記通信手段を介して接続する前記印刷制御装置からの処理の依頼を受け付ける処理受付手段と、
前記処理受付手段で受け付けた処理の依頼に従って該処理を実施する処理実施手段と、
前記処理実施手段で前記処理の実施を行った際の処理結果を前記印刷制御装置に送信する処理結果送信手段と
を具備する処理装置と
を具備することを特徴とする印刷制御システム。
【請求項２】
前記指示データが抽選処理を示す場合、
前記印刷制御装置は、
前記処理依頼手段によって前記処理装置に対して前記抽選処理を依頼し、
前記処理装置は、
前記処理実施手段によって前記抽選処理を実施し、前記処理結果送信手段によって該実施した抽選処理による抽選結果を前記印刷制御装置に送信し、
前記印刷制御装置は、
前記課金処理手段によって前記抽選結果に応じた課金処理を行い、前記印刷データ生成手段によって該抽選結果に応じた印刷データを生成する
ことを特徴とする請求項１記載の印刷制御システム。
【請求項３】
原稿を読み取って画像データを生成する読取手段と、
前記読取手段で生成した画像データ内に処理の指示を示す指示データが埋め込まれているか否か解析する解析手段と、
前記解析手段が前記指示データが前記画像データ内に埋め込まれていると解析した場合、該指示データに示されている処理を実施する処理実施手段と、
前記処理実施手段で前記処理の実施を行なった際の処理結果に応じた課金処理を行う課金処理手段と、
前記処理結果に応じた印刷データを生成する印刷データ生成手段と、
前記印刷データ生成手段で生成した印刷データを印刷する印刷手段と
を具備することを特徴とする印刷制御装置。
【請求項４】
前記指示データが抽選処理を示す場合、
前記処理実施手段は、
前記抽選処理を実施し、
前記課金処理手段は、
前記抽選結果に応じた課金処理を行い、
前記印刷データ生成手段は
前記抽選結果に応じた印刷データを生成する
ことを特徴とする請求項３記載の印刷制御装置。
【請求項５】
原稿を読み取って画像データを生成する読取手段と、印刷データを印刷する印刷手段とを具備する印刷制御装置に内蔵されたコンピュータに、
前記読取手段で生成した画像データ内に処理の指示を示す指示データが埋め込まれているか否か解析する解析機能と、
前記解析機能が前記指示データが前記画像データ内に埋め込まれていると解析した場合、該指示データに示されている処理を実施する処理実施機能と、
前記処理実施機能で前記処理の実施を行なった際の処理結果に応じた課金処理を行う課金処理機能と、
前記処理結果に応じた印刷データを生成する印刷データ生成機能と
を実行させることを特徴とする印刷制御プログラム。
【請求項６】
前記指示データが抽選処理を示す場合、
前記処理実施機能は、
前記抽選処理を実施し、
前記課金処理機能は、
前記抽選結果に応じた課金処理を行い、
前記印刷データ生成機能は、
前記抽選結果に応じた印刷データを生成する
ことを特徴とする請求項５記載の印刷制御プログラム。
【発明の詳細な説明】
【技術分野】
【０００１】
本発明は、印刷制御システム、印刷制御装置、印刷制御プログラムに関する。
【背景技術】
【０００２】
近年、デジタルカメラで撮影した画像の写真プリント、ダウンロードした画像データのプリント等ができるプリンタ端末等がコンビニエンスストア等に設置され、コンテンツの多様なプリントサービスが提供され、このようなプリントサービスでは種々の課金システムが適用されている。（例えば、特許文献１、特許文献２、特許文献３、特許文献４、特許文献５参照。）。
【特許文献１】特開平５−１６５１１２号公報
【特許文献２】特開平７−１２９２７０号公報
【特許文献３】特開２００４−１１０６４４号公報
【特許文献４】特開２００３−２４２２３９号公報
【特許文献５】特開２００２−１４７９４号公報
【発明の開示】
【発明が解決しようとする課題】
【０００３】
本発明は、印刷される文書の候補が複数種類存在する場合、文書の種類に応じた課金額を設定することが可能な印刷制御システム、印刷制御装置、印刷制御プログラムを提供することを目的とする。
【課題を解決するための手段】
【０００４】
上記目的を達成するため、請求項１の発明は、原稿を読み取って画像データを生成する読取手段と、前記読取手段で生成した画像データ内に処理の指示を示す指示データが埋め込まれているか否か解析する解析手段と、前記解析手段が前記指示データが前記画像データ内に埋め込まれていると解析した場合、該指示データに示されている処理を通信手段を介して接続する処理装置に対して依頼する処理依頼手段と、前記処理依頼手段で依頼した処理の処理結果を前記処理装置から受信する処理結果受信手段と、前記処理結果受信手段で受信した処理結果に応じた課金処理を行う課金処理手段と、前記処理結果に応じた印刷データを生成する印刷データ生成手段と、前記印刷データ生成手段で生成した印刷データを印刷する印刷手段とを具備する印刷制御装置と、前記通信手段を介して接続する前記印刷制御装置からの処理の依頼を受け付ける処理受付手段と、前記処理受付手段で受け付けた処理の依頼に従って該処理を実施する処理実施手段と、前記処理実施手段で前記処理の実施を行った際の処理結果を前記印刷制御装置に送信する処理結果送信手段とを具備する処理装置とを具備することを特徴とする。
【０００５】
また、請求項２の発明は、請求項１の発明において、前記指示データが抽選処理を示す場合、前記印刷制御装置は、前記処理依頼手段によって前記処理装置に対して前記抽選処理を依頼し、前記処理装置は、前記処理実施手段によって前記抽選処理を実施し、前記処理結果送信手段によって該実施した抽選処理による抽選結果を前記印刷制御装置に送信し、前記印刷制御装置は、前記課金処理手段によって前記抽選結果に応じた課金処理を行い、前記印刷データ生成手段によって該抽選結果に応じた印刷データを生成することを特徴とする。
【０００６】
また、請求項３の発明は、原稿を読み取って画像データを生成する読取手段と、前記読取手段で生成した画像データ内に処理の指示を示す指示データが埋め込まれているか否か解析する解析手段と、前記解析手段が前記指示データが前記画像データ内に埋め込まれていると解析した場合、該指示データに示されている処理を実施する処理実施手段と、前記処理実施手段で前記処理の実施を行なった際の処理結果に応じた課金処理を行う課金処理手段と、前記処理結果に応じた印刷データを生成する印刷データ生成手段と、前記印刷データ生成手段で生成した印刷データを印刷する印刷手段とを具備することを特徴とする。
【０００７】
また、請求項４の発明は、請求項３の発明において、前記指示データが抽選処理を示す場合、前記処理実施手段は、前記抽選処理を実施し、前記課金処理手段は、前記抽選結果に応じた課金処理を行い、前記印刷データ生成手段は前記抽選結果に応じた印刷データを生成することを特徴とする。
【０００８】
また、請求項５の発明は、原稿を読み取って画像データを生成する読取手段と、印刷データを印刷する印刷手段とを具備する印刷制御装置に内蔵されたコンピュータに、前記読取手段で生成した画像データ内に処理の指示を示す指示データが埋め込まれているか否か解析する解析機能と、前記解析機能が前記指示データが前記画像データ内に埋め込まれていると解析した場合、該指示データに示されている処理を実施する処理実施機能と、前記処理実施機能で前記処理の実施を行なった際の処理結果に応じた課金処理を行う課金処理機能と、前記処理結果に応じた印刷データを生成する印刷データ生成機能とを実行させることを特徴とする。
【０００９】
また、請求項６の発明は、請求項５の発明において、前記指示データが抽選処理を示す場合、前記処理実施機能は、前記抽選処理を実施し、前記課金処理機能は、前記抽選結果に応じた課金処理を行い、前記印刷データ生成機能は前記抽選結果に応じた印刷データを生成することを特徴とする。
【発明の効果】
【００１０】
請求項１、３および５に記載の発明は、本構成を有しない場合に比較して、印刷する文書の質に応じて課金額を変更することが可能となる。
【００１１】
また、請求項２、４および６に記載の発明は、本構成を有しない場合に比較して、スキャナ機能を利用して抽選処理を行うことが可能となる。
【発明を実施するための最良の形態】
【００１２】
以下、本発明に係る印刷制御システム、印刷制御装置、印刷制御プログラムの実施の形態について添付図面を参照して詳細に説明する。
【実施例１】
【００１３】
図１は、実施例１の概要を説明するための図である。
【００１４】
図１に示す本発明に係る印刷制御システム１は、複数の印刷制御装置２と、抽選処理装置３とがネットワーク４を介して接続されて構成され、各印刷制御装置はそれぞれ課金装置５と接続している。
【００１５】
印刷制御装置２は、スキャナ機能を有し、スキャナ機能で読み取ったスキャンデータを印刷する装置であり、電子透かし等によって所定のデータが埋め込まれている原稿を読み取った場合は当該所定のデータに対応する処理を行う。本実施例では、キャンペーン等の応募を指示する指示データ（以後、抽選データと称する）が埋め込まれている原稿を読み取ると、ネットワーク４を介して抽選処理装置３に対して抽選処理を依頼し、抽選処理装置３から返送してくる抽選結果に応じた課金処理および文書の印刷を行う。なお、印刷制御装置２は、スキャナ機能以外にもプリンタ機能、ファクシミリ機能を有することも可能である。
【００１６】
抽選処理装置３は、印刷制御装置２から抽選データを受信すると、抽選処理を行い、抽選結果を印刷制御装置２に送信する。
【００１７】
課金装置５は、印刷制御装置２が提供するサービスを利用するために必要な料金を受け入れ、受け入れた料金に対応する金額情報を印刷制御装置２に送信する。
【００１８】
図２は、印刷制御装置２および抽選処理装置３の機能的な構成の一例を示すブロック図である。
【００１９】
印刷制御装置２の機能的な構成について説明する。
【００２０】
図２に示すように、印刷制御装置２は、画像読取部６、スキャンデータ解析部７、抽選データ抽出部８、抽選データ送信部９、通信Ｉ／Ｆ１０１、結果データ受信部１１、課金テーブル保管部１２、課金処理部１３、印刷データ生成部１４、印刷部１５を具備して構成される。
【００２１】
画像読取部６は、原稿を読み取り、スキャンデータを生成する処理を行い、原稿を自動的に連続して読み取りができるＡＤＦ［Auto Document Feeder］、ＣＣＤ［Charge Coupled Devices］等の撮像素子と、撮像素子を搭載したキャリッジ若しくは原稿を移動させる電動機等で構成される。
【００２２】
スキャンデータ解析部７は、画像読取部６で生成したスキャンデータに電子透かし等によって抽選データが埋め込まれているか否か解析する処理を行う。
【００２３】
抽選データ抽出部８は、スキャンデータ解析部７がスキャンデータに抽選データが埋め込まれていると解析した場合、当該スキャンデータから抽選データを抽出する処理を行う。
【００２４】
抽選データ送信部９は、抽選データ抽出部８で抽出した抽選データを抽選処理装置３に送信する処理を行う。
【００２５】
通信Ｉ／Ｆ１０１は、ネットワーク４との接続が可能なデータ通信のインターフェースであり、ＩＥＥＥ１３９４ケーブル、ＵＳＢケーブル、ＬＡＮケーブル、ＲＳ−２３２Ｃケーブル等の有線回線の他、無線ＬＡＮ、ＩｒＤＡ等の無線回線を接続することができる。
【００２６】
結果データ受信部１１は、抽選データ送信部９で送信した抽選データに対する抽選処理装置３からの抽選結果を示すデータ（以後、結果データと称する）を受信する処理を行う。
【００２７】
課金テーブル保管部１２は、抽選処理装置３で行った抽選の結果と、抽選の結果に応じた課金処理とを対応付けた図３に示すような課金テーブルを記憶する。
【００２８】
具体的には、図３（ａ）に示すように、抽選結果として当選と落選がある抽選では、当選に対して課金しないという課金処理が設定され、落選に対して２０円課金という課金処理が設定される。また、図３（ｂ）に示すように、抽選結果として１等と２等と３等がある抽選では、１等に対して課金しないという課金処理が設定され、２等に対して１０円課金という課金処理が設定され、３等に対して２０円課金という課金処理が設定される。
【００２９】
課金処理部１３は、課金テーブル保管部１２に記憶している課金テーブルに基づき、結果データ受信部１１で受信した結果データに示された抽選の結果に対応する課金処理を行う。
【００３０】
印刷データ生成部１４は、結果データ受信部１１で受信した結果データに基づいて印刷データを生成する処理、またはスキャンデータ解析部７が抽選データに埋め込まれていないと解析したスキャンデータに基づいて印刷データを生成する処理を行う。
【００３１】
具体的には、図３（ａ）に示す抽選結果として当選と落選がある抽選において、結果データが当選を示す場合、課金処理部１３は課金を行わずに（または、受け付けた料金を返金する）、印刷データ生成部１４は当選を示す印刷データを生成し、結果データが落選を示す場合、課金処理部１３は１０円の課金を行い、印刷データ生成部１４は落選を示す印刷データを生成する。また、図３（ｂ）に示す抽選結果として１等と２等と３等がある抽選において、結果データが１等を示す場合、課金処理部１３は課金を行わずに（または、受け付けた料金を返金する）、印刷データ生成部１４は１等を示す印刷データ（図６に示すような）を生成し、結果データが２等を示す場合、課金処理部１３は１０円の課金を行い、印刷データ生成部１４は２等を示す印刷データを生成し、結果データが３等を示す場合、課金処理部１３は３０円の課金を行い、印刷データ生成部１４は３等を示す印刷データを生成する。
【００３２】
印刷部１５は、印刷データ生成部１４で生成した印刷データを用紙上に印字する処理を行う。
【００３３】
なお、上述したスキャンデータ解析部７、抽選データ抽出部８、抽選データ送信部９、結果データ受信部１１、課金テーブル保管部１２、課金処理部１３、印刷データ生成部１４を機能として具備するプログラム（本発明に係る印刷制御プログラムに相当）を汎用の印刷制御装置に組み込んだ構成を適用することも可能であり、その際には、印刷制御装置の記憶部（例えば、ハードディスク等）に印刷制御プログラムが記憶され、印刷制御装置の演算部（例えば、ＣＰＵ等）が記憶部に記憶されている印刷制御プログラムを実行することになる。
【００３４】
また、印刷制御プログラムは、各種メモリや光ディスク等の記憶媒体に記憶して提供することが可能であり、通信回線を介して配信することも可能である。
【００３５】
次に、抽選処理装置３の機能的な構成について説明する。
【００３６】
図２に示すように、抽選処理装置３は、通信Ｉ／Ｆ１０２、抽選データ受信部１６、抽選処理部１７、結果データ生成部１８、結果データ送信部１９を具備して構成される。
【００３７】
抽選データ受信部１６は、印刷制御装置２から送信された抽選データを受信する処理を行う。
【００３８】
抽選処理部１７は、抽選データ受信部１６で抽選データを受信した際に、抽選処理を行う。
【００３９】
結果データ生成部１８は、抽選処理部１５で行われた抽選の結果を示す結果データを生成する処理を行う。
【００４０】
結果データ送信部１９は、結果データ生成部１８で生成した結果データを印刷制御装置２に送信する処理を行う。
【００４１】
次に、印刷制御装置２が行う処理の流れの一例について図４に示すフローチャートを参照して説明する。
【００４２】
画像読取部が図５に示すような原稿を読み取ってスキャンデータを生成すると（Ｓ４０１）、スキャンデータ解析部はスキャンデータを解析する（Ｓ４０２）。
【００４３】
スキャンデータに応募データが埋め込まれている場合（Ｓ４０３でＹＥＳ）、抽選データ抽出部はスキャンデータから抽選データを抽出し（Ｓ４０４）、抽選データ送信部は抽選処理装置に抽選データを送信する（Ｓ４０５）。
【００４４】
続いて、Ｓ４０５において送信した抽選データに対する抽選処理装置からの結果データを結果データ受信部が受信すると（Ｓ４０６でＹＥＳ）、印刷データ生成部は結果データに基づいて図６に示すような印刷データを生成し（Ｓ４０７）、課金処理部は結果データに応じた課金処理を実施し（Ｓ４０８）、印刷部は印刷データを印刷し（Ｓ４０９）、処理を終了する。
【００４５】
また、スキャンデータに応募データが埋め込まれていない場合（Ｓ４０３でＮＯ）、印刷データ生成部はスキャンデータに基づいて印刷データを生成し（Ｓ４１０）、印刷部は印刷データを印刷し（Ｓ４０９）、処理を終了する。
【実施例２】
【００４６】
図７は、実施例２の概要を説明するための図である。なお、実施例２は印刷制御装置２が抽選処理を行う構成である。
【００４７】
図７は、本発明に係る印刷制御装置２の機能的な構成の一例を示すブロック図である。
【００４８】
図７に示すように、印刷制御装置２は、画像読取部６、スキャンデータ解析部７、抽選データ抽出部８、抽選処理部１７、課金テーブル保管部１２、課金処理部１３、印刷データ生成部１４、印刷部１５を具備して構成される。
【００４９】
画像読取部６は、原稿を読み取り、スキャンデータを生成する処理を行い、原稿を自動的に連続して読み取りができるＡＤＦ［Auto Document Feeder］、ＣＣＤ［Charge Coupled Devices］等の撮像素子と、撮像素子を搭載したキャリッジ若しくは原稿を移動させる電動機等で構成される。
【００５０】
スキャンデータ解析部７は、画像読取部６で生成したスキャンデータに電子透かし等によって抽選データが埋め込まれているか否か解析する処理を行う。
【００５１】
抽選データ抽出部８は、スキャンデータ解析部７がスキャンデータに抽選データが埋め込まれていると解析した場合、スキャンデータから抽選データを抽出する処理を行う。
【００５２】
抽選処理部１７は、抽選データ抽出部８で抽選データを抽出した際に、抽選処理を行う。
【００５３】
課金テーブル保管部１２は、抽選処理部１７で行った抽選の結果と、抽選の結果に応じた課金処理とを対応付けた図３に示すような課金テーブルを記憶する。
【００５４】
課金処理部１３は、課金テーブル保管部１２に記憶している課金テーブルに基づき、抽選処理部１７で行った抽選の結果に対応する課金処理を行う。
【００５５】
印刷データ生成部１４は、抽選処理部１７で行った抽選の結果に基づいて印刷データを生成する処理、またはスキャンデータ解析部７が抽選データに埋め込まれていないと解析したスキャンデータに基づいて印刷データを生成する処理を行う。
【００５６】
印刷部１５は、印刷データ生成部１４で生成した印刷データを用紙上に印字する処理を行う。
【００５７】
なお、上述したスキャンデータ解析部７、抽選データ抽出部８、抽選処理部１７、課金テーブル保管部１２、課金処理部１３、印刷データ生成部１４を機能として具備するプログラム（本発明に係る印刷制御プログラムに相当）を汎用の印刷制御装置に組み込んだ構成を適用することも可能であり、その際には、印刷制御装置の記憶部（例えば、ハードディスク等）に印刷制御プログラムが記憶され、印刷制御装置の演算部（例えば、ＣＰＵ等）が記憶部に記憶されている印刷制御プログラムを実行することになる。
【００５８】
また、印刷制御プログラムは、各種メモリや光ディスク等の記憶媒体に記憶して提供することが可能であり、通信回線を介して配信することも可能である。
【００５９】
次に、印刷制御装置２が行う処理の流れの一例について図８に示すフローチャートを参照して説明する。
【００６０】
画像読取部が図５に示すような原稿を読み取ってスキャンデータを生成すると（Ｓ８０１）、スキャンデータ解析部はスキャンデータを解析する（Ｓ８０２）。
【００６１】
スキャンデータに応募データが埋め込まれている場合（Ｓ８０３でＹＥＳ）、抽選処理部は抽選処理を実施し（Ｓ８０４）、印刷データ生成部は抽選結果に基づいて図６に示すような印刷データを生成し（Ｓ８０５）、課金処理部は抽選結果に応じた課金処理を実施し（Ｓ８０６）、印刷部は印刷データを印刷し（Ｓ８０７）、処理を終了する。
【００６２】
また、スキャンデータに応募データが埋め込まれていない場合（Ｓ８０３でＮＯ）、印刷データ生成部はスキャンデータに基づいて印刷データを生成し（Ｓ８０８）、印刷部は印刷データを印刷し（Ｓ８０７）、処理を終了する。
【図面の簡単な説明】
【００６３】
【図１】実施例１の概要を説明するための図である。
【図２】印刷制御装置および抽選処理装置の機能的な構成の一例を示すブロック図である。
【図３】課金テーブルの一例を示す図である。
【図４】印刷制御装置が行う処理の流れの一例を示すフローチャートである。
【図５】応募シートの一例を示す図である。
【図６】抽選結果に応じた印刷データの一例を示す図である。
【図７】実施例２の概要を説明するための図である。
【図８】印刷制御装置が行う処理の流れの一例を示すフローチャートである。
【符号の説明】
【００６４】
１    印刷制御システム
２    印刷制御装置
３    抽選処理装置
４    ネットワーク
５    課金装置
６    画像読取装置
７    スキャンデータ解析部
８    抽選データ抽出部
９    抽選データ送信部
１０１、１０２    通信Ｉ／Ｆ
１１    結果データ受信部
１２    課金テーブル保管部
１３    課金処理部
１４    印刷データ生成部
１５    印刷部
１６    抽選データ受信部
１７    抽選処理部
１８    結果データ生成部
１９    結果データ送信部
【図１】
2008225999.tif 000003
【図２】
2008225999.tif 000004
【図３】
2008225999.tif 000005
【図４】
2008225999.tif 000006
【図５】
2008225999.tif 000007
【図６】
2008225999.tif 000008
【図７】
2008225999.tif 000009
【図８】
2008225999.tif 000010